Podtech/llm-jp-corpus-v4-ja_patent huggingface dataset:
【手続補正書】
【提出日】平成17年12月8日(2005.12.8)
【手続補正１】
【補正対象書類名】明細書
【補正対象項目名】特許請求の範囲
【補正方法】変更
【補正の内容】
【特許請求の範囲】
【請求項１】
作用成分として長いペントラキシンＰＴＸ３タンパク質および薬理学上許容される賦形剤を含む、経口、非経口、経皮または皮下投与可能な、感染性および炎症性疾患または腫瘍の治療のための医薬組成物。
【請求項２】
バクテリア、菌類、プロトゾア、またはウイルスが原因である感染性疾患の治療のための請求項１記載の医薬組成物。
【請求項３】
長いペントラキシンＰＴＸ３のアミノ酸配列が、天然に現存しているＰＴＸ３のアミノ酸配列である請求項１または２記載の組成物。
【請求項４】
長いペントラキシンＰＴＸ３のアミノ酸配列が、配列番号１の配列を有するヒトのＰＴＸ３のアミノ酸配列である請求項３記載の組成物。
【請求項５】
長いペントラキシンＰＴＸ３またはその機能性誘導体の一つをコードしている完全なｃＤＮＡ配列を含む、感染性および炎症性疾患または腫瘍の治療のための発現ベクター。
【請求項６】
バクテリア、菌類、プロトゾア、またはウイルスが原因である感染性疾患の治療のための請求項５記載の発現ベクター。
【請求項７】
プラスミドである請求項５または６記載の発現ベクター。
【請求項８】
プラスミドｐＳＧ５である請求項７記載の発現ベクター。
【請求項９】
請求項５-８のいずれかの発現ベクターを用いて形質移入された組換え宿主細胞。
【請求項１０】
ＣＨＯ細胞である請求項９記載の宿主細胞。
【請求項１１】
腫瘍性疾患の患者から採取された細胞に、長いペントラキシンＰＸＴ３またはその機能性誘導体の一つをコードしている完全なｃＤＮＡ配列を含む発現ベクターを形質移入することを含む、該腫瘍性疾患の患者に接種するための細胞の調製方法。
【請求項１２】
長いペントラキシンＰＸＴ３またはその機能性誘導体の一つをコードしている完全なｃＤＮＡ配列を含むウイルス起源の発現ベクターである、腫瘍性疾患の患者に注入するための発現ベクター。
【請求項１３】
ウイルス起源の発現ベクターがアデノウイルスまたはレトロウイルスである請求項１２記載の発現ベクター。
【手続補正２】
【補正対象書類名】明細書
【補正対象項目名】図面の簡単な説明
【補正方法】変更
【補正の内容】
【図面の簡単な説明】
【図２】  Ｃ１ｑへのＰＴＸ３の結合。パネルＡは、プレート上に固定されたＣ１ｑおよびＣ１ｓへの、ＰＴＸ３（センス）を含む培養物の上清および精製タンパク質の結合を示す。結合を４０５ｎｍにおける光学濃度(Ｏ．Ｄ．)として評価した。パネルＢはビオチン化タンパク質を用いて得られた飽和曲線を示す。反応速度パラメータを、非線形適合統計法を用いて算出した。
【図３】  ＰＴＸ３により誘導された白血球の増加：５ｍｌの空気を接種することによりＣＤ１マウスの背中に誘導した皮下ポケットに１μｇのＰＴＸ３を注射する。
【図４】  正常な動物および、Ｃ１ｑを持たない遺伝子操作された動物における、ＰＴＸ３により誘導された白血球の増加。ＰＴＸ３を動物の背中に誘導された皮下に注射する。
【図５】  配列１：  ヒトのＰＴＸ３のアミノ酸配列。下線を引いたアミノ酸がペプチドシグナルを構成する。成熟ｈＰＴＸ３は３６４アミノ酸から成る。ここで、配列１は配列表の配列番号１である。
【図６】  配列２：  ヒトＰＴＸ３のｃＤＮＡの断片のヌクレオチド配列。大文字はタンパク質をコードしているヌクレオチドを示すのに対し、小文字は翻訳されないが構築物中に存在する３’および５’領域を示す。ここで、配列２は配列表の配列番号２である。
【手続補正書】
【提出日】平成18年2月15日(2006.2.15)
【手続補正１】
【補正対象書類名】明細書
【補正対象項目名】特許請求の範囲
【補正方法】変更
【補正の内容】
【特許請求の範囲】
【請求項１】
式：
【化１】
2002503673.tif 000001
（式中、
ＰＧ−Ｒ２は、場合によりＮ−保護されている脂肪族Ｌアミノ酸のアシル残基であり、ｐは０−５であり、ｑは０−５であり、Ｘはヒドロキシ基または活性化基である）
を有する合成中間体。
【請求項２】
Ｘがハロである請求項１に記載の中間体。
【請求項３】
ｐが０である請求項１または２に記載の中間体。
【請求項４】
ｑが０である請求項１〜３のいずれかに記載の中間体。
【請求項５】
部分的な式：
【化２】
2002503673.tif 000002
で表される部分が、次の部分：
［２−（Ｌ−バリルオキシ）−ブチリル］、［２−（Ｌ−イソロイシルオキシ）−ブチリル］、［２−（Ｌ−バリルオキシ）−ペンタノイル］、［２−（Ｌ−イソロイシルオキシ）−ペンタノイル］、［２−（Ｌ−バリルオキシ）−ヘキサノイル］、［２−（Ｌ−イソロイシルオキシ）−ヘキサノイル］、［２−（Ｌ−バリルオキシ）−プロピオニル］、または［２−（Ｌ−イソロイシルオキシ）−プロピオニル］から選択される請求項４に記載の中間体。
【請求項６】
部分的な式：
【化３】
2002503673.tif 000003
の部分が、部分［２−（Ｌ−バリルオキシ）−プロピオニル］、または［２−（Ｌ−イソロイシルオキシ）−プロピオニル］であり、その部分はＬ−乳酸に由来する請求項４に記載の中間体。
【請求項７】
２−Ｎ−Ｙ−Ｌ−バリルオキシ−Ｌ−乳酸（ＹはＦｍｏｃ、Ｂｏｃ、またはＣＢｚである）および対応する活性化された酸ハライドよりなる群から選択される請求項１に記載の中間体。
【手続補正書】
【提出日】平成18年2月13日(2006.2.13)
【手続補正１】
【補正対象書類名】明細書
【補正対象項目名】特許請求の範囲
【補正方法】変更
【補正の内容】
【特許請求の範囲】
【請求項１】  局在化された組織領域内でマクロファージの数もしくは活性の選択的低下により疾患を処置するための医薬の製造における、（ａ）内在性の免疫グロブリンにより結合される部位と異なる部位でＦｃレセプターに結合する作用物質；および（ｂ）マクロファージを殺すかもしくはその活性を低下させる作用物質を含んで成るマクロファージ結合性化合物の使用。
【請求項２】  Ｆｃレセプターに結合する作用物質が、抗体もしくはその抗原結合部位である請求項1記載の使用。
【請求項３】  Ｆｃレセプターが、Ｆｃγレセプター（ＦｃγＲ）もしくはＦｃαレセプター（ＦｃαＲ）である、請求項１記載の使用。
【請求項４】  Ｆｃγレセプターが、ＦｃγＲＩ、ＦｃγＲＩＩおよびＦｃγＲＩＩＩより成る群から選択される、請求項３記載の使用。
【請求項５】  マクロファージ結合性化合物が、トキシンに複合化された抗Ｆｃレセプター抗体もしくはその抗原結合部位を含んで成る、請求項１記載の使用。
【請求項６】  抗Ｆｃレセプター抗体が、抗Ｆｃγレセプター抗体もしくは抗Ｆｃレセプター単一鎖抗体である、請求項５記載の使用。
【請求項７】  抗Ｆｃγレセプター抗体が、ｍａｂ２２、３２および１９７より成る群から選択されるモノクローナル抗体、もしくはその抗原結合部位である、請求項６記載の使用。
【請求項８】  抗Ｆｃγレセプター抗体が、ＡＴＣＣ受託番号ＣＲＬ  １１１７を有する細胞株により産生されるヒト化抗体Ｈ２２もしくはそのフラグメントである、請求項７記載の使用。
【請求項９】  マクロファージを殺すかもしくはその活性を低下させる作用物質が、ジェロニン、サポリン、エクソトキシンＡ、オンコナーゼ、リシンＡおよびジクロロメチレンジホスホネート（ＣＬ２ＭＤＰ）もしくはその誘導体より成る群から選択されるトキシンである、請求項１記載の使用。
【請求項１０】  マクロファージを殺すかもしくはその活性を低下させる作用物質が、リポソーム内に封入されている、請求項１記載の使用。
【請求項１１】  疾患が、マクロファージの高められた増殖および／もしくは成長因子分泌を特徴とする、請求項１記載の使用。
【請求項１２】  疾患が、乾癬、アトピー性皮膚炎、強皮症、皮膚紅斑性狼瘡、ヒト免疫不全ウイルス感染症、多発性硬化症、リウマチ性関節炎、慢性多形性光皮膚症、慢性閉塞性肺疾患およびヴェグナー肉芽腫症より成る群から選択される、請求項１記載の使用。
【請求項１３】  マクロファージの異常な数もしくは活性を特徴とする被験者での疾患の診断方法であって、被験者からの生物学的サンプルを、（ａ）内在性の免疫グロブリンにより結合される部位と異なる部位でＦｃレセプターに結合する作用物質；および（ｂ）マクロファージを殺すかもしくはその活性を低下させる作用物質を含んで成るマクロファージ結合性化合物と接触させること；ならびに
サンプル中のＦｃレセプタータンパク質の量の指標としてＦｃレセプター結合のレベルを検出すること、を含んで成り、
かつ、Ｆｃレセプタータンパク質の上昇された発現もしくはＦｃレセプタータンパク質を発現するマクロファージの数の増加がマクロファージ媒介性疾患を指示する、上記方法。
【請求項１４】  マクロファージ結合性化合物が、検出可能な標識をさらに含んで成る、請求項１３記載の方法。
【請求項１５】  疾患が、乾癬、アトピー性皮膚炎、多発性硬化症、強皮症、皮膚紅斑性狼瘡、ヒト免疫不全ウイルス感染症、慢性多形性光皮膚症、慢性閉塞性肺疾患およびヴェグナー肉芽腫症より成る群から選択される、請求項１３記載の方法。
【誤訳訂正書】
【提出日】平成18年4月7日(2006.4.7)
【誤訳訂正１】
【訂正対象書類名】明細書
【訂正対象項目名】特許請求の範囲
【訂正方法】変更
【訂正の内容】
【特許請求の範囲】
【請求項１】  撹拌型反応器において水素及び酸素から直接過酸化水素水溶液を製造する方法であって、水素及び酸素を小さな気泡形態で、無機酸を添加して予め酸性とし且つ分散状態で触媒を含む水性反応媒体の下部に酸素モル流量に対する水素モル流量の比が０．０４１６を超えるような流量で注入し、酸素を連続ガス相及び／または水性反応媒体の上部に連続ガス相中の酸素に対する水素のモル比が０．０４１６未満であるような量で導入することを特徴とする前記方法。
【請求項２】  水性反応媒体の下部への小さな気泡形態での水素及び酸素の注入を撹拌型反応器の底部で実施することを特徴とする請求の範囲第１項に記載の方法。
【請求項３】  酸素用及び水素用の、水性反応媒体の下部への入口が隣接することを特徴とする請求の範囲第１項または第２項に記載の方法。
【請求項４】  反応媒体が過酸化水素に対する安定剤を含むことを特徴とする請求の範囲第１項〜第３項のいずれかに記載の方法。
【請求項５】  反応媒体がハロゲン化物を含むことを特徴とする請求の範囲第１項〜第４項のいずれかに記載の方法。
【請求項６】  ハロゲン化物が臭化物であることを特徴とする請求の範囲第５項に記載の方法。
【請求項７】  臭化物が遊離状態の臭素との組み合わせで使用されることを特徴とする請求の範囲第６項に記載の方法。
【請求項８】  触媒がパラジウムを含むことを特徴とする請求の範囲第１項〜第７項のいずれかに記載の方法。
【請求項９】  触媒が白金を含むことを特徴とする請求の範囲第８項に記載の方法。
【請求項１０】  触媒が担持されていることを特徴とする請求の範囲第８項または第９項に記載の方法。
【請求項１１】  担体がシリカ、アルミナ及びシリカ−アルミナから選択されることを特徴とする請求の範囲第１０項に記載の方法。
【請求項１２】  連続ガス相及び／または水性反応媒体の上部に導入される酸素が水素を含むことを特徴とする請求の範囲第１項〜第１１項のいずれかに記載の方法。
【請求項１３】  小さな気泡形態で水性反応媒体の下部に注入される酸素が水素を含むことを特徴とする請求の範囲第１項〜第１２項のいずれかに記載の方法。
【請求項１４】  水素及び酸素から直接過酸化水素水溶液を製造するための装置であって、使用液が連続的または非連続的に供給される撹拌型反応器を含み、前記反応容器は１つ以上の、水性反応媒体の下部への小さな気泡形態のガス状水素用入口；１つ以上の、水性反応媒体の下部への小さな気泡形態の任意に水素を含むガス状酸素用入口；過剰の未消費ガス状反応物質を排出することにより反応器内部の圧力を一定に保つことができるようにする圧力調整装置；及び１つ以上の、連続ガス相及び／または水性反応媒体の上部への任意に水素を含むガス状酸素用入口を有しており、このガス状酸素は反応器から出るガス流の分析装置により連続ガス相中の水素／酸素モル比が０．０４１６未満であるようにコントロールされることを特徴とする前記装置。
【請求項１５】  反応器が過酸化水素水溶液を抜取るための出口を有していることを特徴とする請求の範囲第１４項に記載の装置。
【請求項１６】  反応器から出るガス流を、酸素を水性反応媒体の下部に供給する循環中に再注入することを特徴とする請求の範囲第１４項または第１５項に記載の装置。
【請求項１７】  反応器から出るガス流を、酸素を添加し場合によっては水素を除去して任意に調節した後、酸素を連続ガス相及び／または水性反応媒体の上部に供給する循環に再注入することを特徴とする請求の範囲第１４項または第１５項に記載の装置。
【請求項１８】  少なくとも１つの小さな気泡形態の水素用入口及び少なくとも１つの小さな気泡形態の酸素用入口が撹拌型反応器の底部にあることを特徴とする請求の範囲第１４項〜第１７項のいずれかに記載の装置。
【請求項１９】  酸素用及び水素用の、水性反応媒体の下部への入口が隣接することを特徴とする請求の範囲第１４項〜第１８項のいずれかに記載の装置。
【請求項２０】  反応器を１つ以上の独立インペラーまたはタービンにより撹拌することを特徴とする請求の範囲第１４項〜第１９項のいずれかに記載の装置。
【請求項２１】  タービンがフランジ付きタービンであることを特徴とする請求の範囲第２０項に記載の装置。
【請求項２２】  タービンが自己吸引タービンであることを特徴とする請求の範囲第２０項に記載の装置。
【請求項２３】  撹拌型反応器が熱交換機を有していることを特徴とする請求の範囲第１４項〜第２２項のいずれかに記載の装置。
【請求項２４】  熱交換機が一組の垂直チューブ、巻きスパイラル、または一組の放射状方向に配置されている垂直プレートであることを特徴とする請求の範囲第２３項に記載の装置。
【請求項２５】  水性反応媒体中の全ての小さな気泡が、撹拌を中断すると重力の影響のみで水性媒体／連続ガス相界面まで上昇することを特徴とする請求の範囲第１４項〜第２４項のいずれかに記載の装置。
【誤訳訂正２】
【訂正対象書類名】明細書
【訂正対象項目名】００１３
【訂正方法】変更
【訂正の内容】
【００１３】
本発明の方法は、水素及び酸素を小さな気泡形態で、無機酸を添加して酸性とし且つ分散状態で触媒を含む水性反応媒体の下部に酸素モル流量に対する水素モル流量の比が０．０４１６を超えるようなモル流量で注入し、酸素を連続ガス相及び／または水性反応媒体の上部に連続ガス相中の酸素に対する水素のモル比が０．０４１６未満であるような量で導入することを特徴とする。
【誤訳訂正３】
【訂正対象書類名】明細書
【訂正対象項目名】００４８
【訂正方法】変更
【訂正の内容】
【００４８】
装置は、自己吸引タービンａ及びターボミキサーｂを備えた垂直軸により撹拌される反応器を含む。始動時に、反応器は使用液に懸濁させた触媒を含み、合わせた混合物を反応温度とする。
【誤訳訂正４】
【訂正対象書類名】明細書
【訂正対象項目名】００７５
【訂正方法】変更
【訂正の内容】
【００７５】
直径３０ｍｍの軸プロペラには６枚の傾斜ブレードが取り付けられ、反応容器の底部付近の垂直シャフトの末端に連結されている。
【誤訳訂正書】
【提出日】平成16年11月12日(2004.11.12)
【誤訳訂正１】
【訂正対象書類名】明細書
【訂正対象項目名】請求項５
【訂正方法】変更
【訂正の内容】
【請求項５】テープのロール（１）からのテープ（１０）の引き出しが光学的に管理され、テープの端部が現れたとき、作業工程が停止されることを特徴とする、請求項１〜４のいずれかに記載の方法。
【誤訳訂正２】
【訂正対象書類名】明細書
【訂正対象項目名】０００５
【訂正方法】変更
【訂正の内容】
【０００５】
このようなシート状投与フォームは、それらの単位面積当たりの小さな重量、例えば１０〜５０ｇ／ｍ２に起因して静的に帯電されるようになることから、また表面がウエブの迅速な除去に適するように構成されるので、人がシートセクシヨンの正確に位置決めされた切断および重ね合わせに成功することは非常に困難であり、時間の消耗である。
【手続補正書】
【提出日】平成18年2月22日(2006.2.22)
【手続補正１】
【補正対象書類名】明細書
【補正対象項目名】特許請求の範囲
【補正方法】変更
【補正の内容】
【特許請求の範囲】
【請求項１】  細胞に及ぼすアミロイドベータタンパク質の細胞毒性の影響を防止するための医薬組成物であって、治療学的に有効な量のインドール−３−プロピオン酸またはその塩もしくはエステル、および医薬的に許容し得る担体を含有する、該医薬組成物。
【請求項２】  細胞毒性の影響は細胞死である、請求項１記載の医薬組成物。
【請求項３】  細胞毒性の影響は脂質過酸化の増加である、請求項１記載の医薬組成物。
【請求項４】  細胞毒性の影響は細胞内Ｃａ２＋の増加である、請求項１記載の医薬組成物。
【請求項５】  細胞毒性の影響は酸素フリーラジカルの増加である、請求項１記載の医薬組成物。
【請求項６】  細胞はニューロン細胞である、請求項１記載の医薬組成物。
【請求項７】  細胞は請求項１記載の医薬組成物を全身投与することによって曝露する、請求項１記載の医薬組成物。
【請求項８】  細胞は原線維生成疾患を有するヒト被験者に存在する、請求項１記載の医薬組成物。
【請求項９】  ヒト被験者の原線維生成疾患を処置するための医薬組成物であって、原線維生成を防止するかまたは後退させるのに有効な量のインドール−３−プロピオン酸またはその塩もしくはエステル、および医薬的に許容し得る担体を含有する、該医薬組成物。
【請求項１０】  原線維生成疾患はアルツハイマー病である、請求項９記載の医薬組成物。
【請求項１１】  原線維生成疾患はプリオン関連のエンセファロパシーである、請求項９記載の医薬組成物。
【請求項１２】  生物学的試料の酸化を減少させるための医薬組成物であって、有効な量のインドール−３−プロピオン酸またはそれらの塩もしくはエステル、および医薬的に許容し得る担体を含有する、該医薬組成物。
【請求項１３】  生物学的試料と接触させることを含む、請求項１２記載の医薬組成物。
【請求項１４】  生物学的試料は細胞である、請求項１２または１３のいずれかに記載の医薬組成物。
【請求項１５】  酸化を減少させることにより、脂質過酸化を減少させる、請求項１２記載の医薬組成物。
【請求項１６】  酸化を減少させることにより、酸素フリーラジカルを減少させる、請求項１２記載の医薬組成物。
【請求項１７】  フリーラジカルおよび／または酸化ストレスが、処置が必要な患者において役割を果たしている疾患または他の病気を処置するための医薬組成物であって、治療学的に有効な量のインドール−３−プロピオン酸またはその塩もしくはエステル、および医薬的に許容し得る担体を含有する、該医薬組成物。
【請求項１８】  該疾患または他の病気は、パーキンソン病、レビー小体型痴呆、筋萎縮性側索硬化症、進行性核上麻痺、発作、アテローム硬化症、気腫、癌、およびそれらの組み合わせからなる群から選ばれる、請求項１７記載の医薬組成物。
【請求項１９】  アミロイドベータタンパク質の細胞毒性の影響に関係する疾患を処置するための医薬組成物であって、治療学的に有効な量のインドール−３−プロピオン酸またはその塩もしくはエステル、および医薬的に許容し得る担体を含有する、該医薬組成物。
【請求項２０】  アルツハイマー病、プリオン関連のエンセファロパシー、またはそれらの組み合わせを処置するための医薬組成物であって、治療学的に有効な量のインドール−３−プロピオン酸またはその塩もしくはエステル、および医薬的に許容し得る担体を含有する、該医薬組成物。
【請求項２１】  インドール−３−プロピオン酸は、式：
【化１】
2002503691.tif 000001
［式中、
Ｒ１、Ｒ２、Ｒ３、Ｒ４、Ｒ５およびＲ６は独立して、水素、無置換または置換のアルキル基、無置換または置換のアリール基、アルコキシ基、無置換または置換のアミノ基、チオール基、アルキルチオ基、およびアリールチオ基からなる群から選ばれる］
によって示される、請求項１〜２０のいずれか１つに記載の医薬組成物。
【請求項２２】  Ｒ１、Ｒ２、Ｒ３、Ｒ４、Ｒ５およびＲ６の少なくとも１つは場合により親油性部分によって置換される、請求項２１記載の医薬組成物。
【請求項２３】  該親油性部分は、無置換または置換のアルキル基、無置換または置換のホモサイクリック環またはホモサイクリック環式、無置換または置換のヘテロサイクリック環またはヘテロサイクリック環式、および多環かご状部分からなる群から選ばれる、請求項２２記載の医薬組成物。
【請求項２４】  インドール−３−プロピオン酸は、式：
【化２】
2002503691.tif 000002
である、請求項１〜２３のいずれか１つに記載の医薬組成物。
【請求項２５】  全身投与することを含む、請求項１〜２４のいずれか１つに記載の医薬組成物。
【手続補正書】
【提出日】平成17年12月22日(2005.12.22)
【手続補正１】
【補正対象書類名】明細書
【補正対象項目名】特許請求の範囲
【補正方法】変更
【補正の内容】
【特許請求の範囲】
【請求項１】  膀胱癌を有する動物に組成物を投与することを含む方法であって、該組成物が、マイコバクテリウム・フレイＤＮＡ（Ｍ−ＤＮＡ）および薬学的に許容可能な担体を含む組成物であって、Ｍ−ＤＮＡが膀胱癌を有する動物において抗膀胱癌活性を有する、方法。
【請求項２】  膀胱癌を有する動物に組成物を投与することを含む方法であって、該組成物が、マイコバクテリウム・フレイ細胞壁複合体（ＭＣＣ）上に保存および複合体化されているＭ−ＤＮＡおよび薬学的に許容可能な担体を含む組成物であって、ＭＣＣが膀胱癌を有する動物において抗膀胱癌活性を有する、方法。
【請求項３】  前記抗膀胱癌活性が、膀胱癌細胞の増殖の阻害、膀胱癌細胞におけるカスパーゼ活性の誘発、膀胱癌細胞におけるアポトーシスの誘発および免疫系の応答細胞の生物活性分子の生成の誘発からなる群から選ばれる、請求項１または２に記載の方法。
【請求項４】  前記膀胱癌細胞におけるアポトーシスの誘発が、Ｆａｓ、ｐ５３／ｐ２１および薬剤耐性からなる群から選ばれる因子に依存しない、請求項３に記載の方法。
【請求項５】  前記生物活性分子が、サイトカインおよび反応性酸素種からなる群から選ばれる、請求項３に記載の方法。
【請求項６】  前記薬学的に許容可能な担体が、固体担体および液体担体からなる群から選ばれる、請求項１または２に記載の方法。
【請求項７】  膀胱癌を有する動物の膀胱癌を治療するのに有効な量で膀胱癌を有する動物に投与するための医薬の製造における、Ｍ−ＤＮＡおよび薬学的に許容可能な担体を含む組成物の使用。
【請求項８】  膀胱癌を有する動物の膀胱癌を治療するのに有効な量で膀胱癌を有する動物に投与するための医薬の製造における、ＭＣＣおよび薬学的に許容可能な担体を含む組成物の使用。
【請求項９】  前記抗膀胱癌活性が、膀胱癌細胞の増殖の阻害、膀胱癌細胞におけるカスパーゼ活性の誘発、膀胱癌細胞におけるアポトーシスの誘発および免疫系の応答細胞の生物活性分子の生成の誘発からなる群から選ばれる、請求項７または８に記載の使用。
【請求項１０】  前記膀胱癌細胞におけるアポトーシスの誘発が、Ｆａｓ、ｐ５３／ｐ２１および薬剤耐性からなる群から選ばれる因子に依存しない、請求項９に記載の使用。
【請求項１１】  前記生物活性分子が、サイトカインおよび反応性酸素種からなる群から選ばれる、請求項９に記載の使用。
【請求項１２】  前記薬学的に許容可能な担体が、固体担体および液体担体からなる群から選ばれる、請求項７または８に記載の使用。
【手続補正書】
【提出日】平成17年12月7日(2005.12.7)
【手続補正１】
【補正対象書類名】明細書
【補正対象項目名】特許請求の範囲
【補正方法】変更
【補正の内容】
【特許請求の範囲】
【請求項１】  一般式（Ｉ）
【化１】
2002503654.tif 000001
［式中、Ｒは、アルキル基、アルケニル基、アルキニル基、シクロアルキル基、シクロアルキルアルキル基、アリール基もしくはアリールアルキル基を表し、これらの基は、いずれも置換されていてもよい］
のアルコキシトリアゾリノンの製造方法であって、
ａ）一般式（ＩＩ）
【化２】
2002503654.tif 000002
［式中、Ｒは、上記に定義されたとおりであり、そしてＲ1は、アルキル基、アリールアルキル基もしくはアリール基を表し、これらの基は、いずれも置換されていてもよい］
のチオイミドジカルボン酸ジエステルを、
ｂ）ヒドラジン、ヒドラジン水和物もしくはヒドラジンの酸付加物と反応させ、かつ、該反応が、ｉ）希釈剤の存在下、そして場合によっては塩基性反応補助剤の存在下、そしてｉｉ）温度−１０℃〜＋１００℃において実施されることを含んでなる方法。
【請求項２】  Ｒが、
ｉ）各場合、炭素原子６個までをもつアルキル基、アルケニル基もしくはアルキニル基を表し、そしてこれらの基のいずれも、シアノ−、ハロゲン−もしくはＣ1−Ｃ4−アルコキシ−置換されていてもよいか、または
ｉｉ）炭素原子３〜６個をもつシクロアルキル基、またはシクロアルキル部分に炭素原子３〜６個とアルキル部分に炭素原子１〜４個をもつシクロアルキルアルキル基を表し、これらの基のいずれも、ハロゲン−もしくはＣ1−Ｃ4−アルキル−置換されていてもよいか、または
ｉｉｉ）炭素原子６もしくは１０個をもつアリール基、またはアリール部分に炭素原子６もしくは１０個とアルキル部分に炭素原子１〜４個をもつアリールアルキル基を表し、これらの基のいずれも、シアノ−、ハロゲン−、Ｃ1−Ｃ4−アルキル−、Ｃ1−Ｃ4−ハロゲノアルキル−、Ｃ1−Ｃ4−アルコキシ−、Ｃ1−Ｃ4−ハロゲノアルコキシ−もしくはＣ1−Ｃ4−アルコキシ−カルボニル−置換されていてもよい、
請求項１の方法。
【請求項３】  Ｒが、
ｉ）メチル、エチル、ｎ−もしくはｉ−プロピル、ｎ−、ｉ−もしくはｓ−ブチルを表し、これらのいずれも、シアノ−、フッ素−、塩素−および／または臭素−、メトキシ−もしくはエトキシ−置換されていてもよいか、または
ｉｉ）プロペニル、ブテニル、プロピニルもしくはブチニルを表し、これらのいずれも、シアノ−、フッ素−、塩素−および／または臭素−置換されていてもよいか、
ｉｉｉ）シクロプロピルもしくはシクロプロピルメチルを表し、これらのいずれも、フッ素−、塩素−、メチル−もしくはエチル−置換されていてもよいか、または
ｉＶ）フェニルもしくはベンジルを表し、これらのいずれも、シアノ−、フッ素−、塩素−、臭素−、メチル−、エチル−、トリフルオロメチル−、メトキシ−、エトキシ−、ジフルオロメトキシ−、トリフルオロメトキシ−、メトキシカルボニル−もしくはエトキシカルボニル−置換されていてもよい、
請求項１の方法。
【手続補正書】
【提出日】平成18年2月21日(2006.2.21)
【手続補正１】
【補正対象書類名】明細書
【補正対象項目名】特許請求の範囲
【補正方法】変更
【補正の内容】
【特許請求の範囲】
【請求項１】内耳の知覚細胞の損傷又は破壊に関連した内耳の疾患又は機能障害の治療のための、内耳中に存在する細胞周期阻害剤の作用を阻害し、又は排除することができる活性成分。
【請求項２】内耳の知覚細胞の損傷又は破壊に関連した内耳の疾患又は機能障害の治療のための薬学的組成物又は薬剤の調製のための、内耳中に存在する細胞周期阻害剤の作用を阻害し、又は排除することができる活性成分。
【請求項３】内耳の支持細胞の増殖を刺激することによって内耳の知覚細胞の再生が起こることを特徴とする前述の請求項のいずれか１項に記載の活性成分。
【請求項４】内耳の知覚細胞が毛髪知覚細胞であることを特徴とする前述の請求項のいずれか１項に記載の活性成分。
【請求項５】細胞周期阻害剤がサイクリン依存性キナーゼ阻害剤であることを特徴とする前述の請求項のいずれか１項に記載の活性成分。
【請求項６】サイクリン依存性キナーゼ阻害剤が、サイクリン依存性キナーゼｐ２７Kip1であることを特徴とする請求項５に記載の活性成分。
【請求項７】内耳の疾患又は機能障害が感音難聴であることを特徴とする前述の請求項のいずれか１項に記載の活性成分。
【請求項８】活性成分が少なくとも１つのペプチド又は少なくとも１つの蛋白質であることを特徴とする前述の請求項のいずれか１項に記載の活性成分。
【請求項９】活性成分が少なくとも１つの核酸分子、特に組換えられた核酸分子であることを特徴とする前述の請求項のいずれか１項に記載の活性成分。
【請求項１０】核酸分子が請求項８に記載のペプチド又は蛋白質をコードすることを特徴とする請求項９に記載の活性成分。
【請求項１１】核酸分子がＤＮＡ分子であることを特徴とする請求項９又は１０に記載の活性成分。
【請求項１２】核酸分子がｃＤＮＡ分子であることを特徴とする請求項１１に記載の活性成分。
【請求項１３】核酸分子がＲＮＡ分子であることを特徴とする請求項９又は１０に記載の活性成分。
【請求項１４】内耳の知覚細胞の再生のために、内耳中に存在するサイクリン依存性キナーゼ阻害剤の阻害作用が、活性成分によって少なくとも部分的に阻害され、又は排除されることを特徴とする内耳の知覚細胞の損傷又は破壊に関連した内耳の疾患又は機能障害の治療のための組成物。
【請求項１５】サイクリン依存性キナーゼ阻害剤がサイクリン依存性キナーゼｐ２７Kip1であることを特徴とする請求項１４に記載の組成物。
【請求項１６】活性成分が少なくとも１つの核酸分子、特に組換えられた核酸分子であることを特徴とする前述の請求項１４または１５に記載の組成物。
【請求項１７】核酸分子がＲＮＡ分子であることを特徴とする請求項１６に記載の組成物。
【請求項１８】核酸分子がアンチセンス配列であることを特徴とする請求項１６または１７に記載の組成物。
【請求項１９】活性成分がベクターの形態であり、かつ好ましくは前記ベクターが請求項９〜１３のいずれか１項に記載の核酸分子を保持することを特徴とする請求項１〜１３のいずれか１項に記載の活性成分。
【請求項２０】ベクターがウイルスベクターであることを特徴とする請求項１９に記載の活性成分。
【請求項２１】ウイルスが、レトロウイルス、アデノウイルス又はアデノ結合ウイルスであることを特徴とする請求項２０に記載の活性成分。
【請求項２２】ベクターが非ウイルスベクターであることを特徴とする請求項１９に記載の活性成分。
【請求項２３】リポソーム又はリポプレックスに内包された核酸分子であることを特徴とする請求項９〜１３のいずれか１項に記載の活性成分。
【請求項２４】活性成分が治療効果のある活性量で使用されることを特徴とする請求項１〜１３および請求項１９〜２３のいずれか１項に記載の活性成分。
【請求項２５】活性成分が局所適用のためのものであることを特徴とする請求項１〜１３および請求項１９〜２４のいずれか１項に記載の活性成分。
【請求項２６】内耳中に存在する細胞周期阻害剤、特にサイクリン依存性キナーゼ阻害剤の作用を阻害し、又は排除することができる少なくとも１つの活性量の活性成分及び薬学的に適用可能なキャリアーを含有することを特徴とする薬学的組成物又は薬剤。
【手続補正書】
【提出日】平成18年2月13日(2006.2.13)
【手続補正１】
【補正対象書類名】明細書
【補正対象項目名】特許請求の範囲
【補正方法】変更
【補正の内容】
【特許請求の範囲】  
【請求項１】
Ｍ．ｔｕｂｅｒｃｕｌｏｓｉｓ抗原、または保存的置換および／もしくは改変でのみ異なる該抗原の改変体の免疫原性部分を含むポリペプチドであって、ここで該抗原は、配列番号２４０、２４２〜２４７、２５３〜２５６、２９５〜２９８、３０９、３１６、３１８〜３２０、３２２、３２４、３２８、３２９、３３３、３３５、３３７、３３９および３４１に示される配列、該配列の相補体、ならびに配列番号２４０、２４２〜２４７、２５３〜２５６、２９５〜２９８、３０９、３１６、３１８〜３２０、３２２、３２４、３２８、３２９、３３３、３３５、３３７、３３９および３４１に示される配列またはその相補体に適度にストリンジェントな条件下でハイブリダイズするＤＮＡ配列からなる群から選択されるＤＮＡ配列によってコードされるアミノ酸配列を含む、ポリペプチド。
【請求項２】
請求項１に記載されるポリペプチドをコードするヌクレオチド配列を含む、ＤＮＡ分子。
【請求項３】
請求項２に記載のＤＮＡ分子を含む、発現ベクター。
【請求項４】
請求項３に記載の発現ベクターで形質転換された、宿主細胞。
【請求項５】
Ｅ．ｃｏｌｉ、酵母および哺乳動物細胞からなる群から選択される、請求項４に記載の宿主細胞。
【請求項６】
配列番号２１５〜２２５、２３７、２３９、２６１〜２７６、２９２、２９３、３０３〜３０８、３１０〜３１５、３１７、３２１、３２３、３２５〜３２７、３３０〜３３２、３３４、３３６、３３８、３４０および３４２〜３４７に示される１つ以上のＤＮＡ配列；ならびに生理的に受容可能なキャリアを含む、薬学的組成物。
【請求項７】
配列番号２１５〜２２５、２３７、２３９、２６１〜２７６、２９２、２９３、３０３〜３０８、３１０〜３１５、３１７、３２１、３２３、３２５〜３２７、３３０〜３３２、３３４、３３６、３３８、３４０および３４２〜３４７、該配列の相補体、ならびに配列番号２１５〜２２５、２３７、２３９、２６１〜２７６、２９２、２９３、３０３〜３０８、３１０〜３１５、３１７、３２１、３２３、３２５〜３２７、３３０〜３３２、３３４、３３６、３３８、３４０および３４２〜３４７に示される配列にハイブリダイズするＤＮＡ配列からなる群から選択されるＤＮＡ配列によってコードされる、１つ以上のポリペプチド；ならびに
非特異的免疫応答エンハンサー、
を含む、ワクチン。
【請求項８】
配列番号２１５〜２２５、２３７、２３９、２６１〜２７６、２９２、２９３、３０３〜３０８、３１０〜３１５、３１７、３２１、３２３、３２５〜３２７、３３０〜３３２、３３４、３３６、３３８、３４０および３４２〜３４７に示される１つ以上のＤＮＡ配列、ならびに非特異的免疫応答エンハンサーを含む、ワクチン。
【請求項９】
請求項１に記載の２つ以上のポリペプチドを含む、融合タンパク質。
【請求項１０】
請求項１に記載の１つ以上のポリペプチドならびにＥＳＡＴ−６を含む、融合タンパク質。
【請求項１１】
請求項１に記載の１つ以上のポリペプチドならびにＭ．ｔｕｂｅｒｃｕｌｏｓｉｓ抗原３８ｋＤ（配列番号１５５）を含む、融合タンパク質。
【請求項１２】
薬学的組成物であって、以下：
（ａ）請求項１に記載の１つ以上のポリペプチドおよび生理的に受容可能なキャリア、または
（ｂ）請求項２に記載の１つ以上のＤＮＡ分子および生理的に受容可能なキャリア、または
（ｃ）請求項９〜１１のいずれか１項に記載の融合タンパク質および生理的に受容可能なキャリアを含む、薬学的組成物。
【請求項１３】
ワクチンであって、以下：
（ａ）請求項１に記載の１つ以上のポリペプチドおよび非特異的免疫応答エンハンサー、または
（ｂ）請求項２に記載の１つ以上のＤＮＡ分子および非特異的免疫応答エンハンサー、または
（ｃ）請求項９〜１１のいずれか１項に記載の融合タンパク質および非特異的免疫応答エンハンサーを含む、ワクチン。
【請求項１４】
前記非特異的免疫応答エンハンサーがアジュバントである、請求項１３に記載のワクチン。
【請求項１５】
患者における結核を検出するための薬学的組成物であって、該薬学的組成物は、請求項１に記載の１つ以上のポリペプチドを含み、ここで該組成物との接触の後の該患者の皮膚上での免疫応答が該患者における結核を示す、薬学的組成物。
【請求項１６】
患者における結核を検出するための薬学的組成物であって、該薬学的組成物は、配列番号２１５〜２２５、２３７、２３９、２６１〜２７６、２９２、２９３、３０３〜３０８、３１０〜３１５、３１７、３２１、３２３、３２５〜３２７、３３０〜３３２、３３４、３３６、３３８、３４０および３４２〜３４７、該配列の相補体、ならびに配列番号２１５〜２２５、２３７、２３９、２６１〜２７６、２９２、２９３、３０３〜３０８、３１０〜３１５、３１７、３２１、３２３、３２５〜３２７、３３０〜３３２、３３４、３３６、３３８、３４０および３４２〜３４７に示される配列にハイブリダイズするＤＮＡ配列からなる群から選択されるＤＮＡ配列によってコードされる１つ以上のポリペプチドを含み、ここで該組成物との接触の後の該患者の皮膚上での免疫応答が該患者における結核を示す、薬学的組成物。
【請求項１７】
前記免疫応答が硬化である、請求項１５〜１６のいずれか１項に記載の薬学的組成物。
【請求項１８】
（ａ）請求項１に記載のポリペプチド；および
（ｂ）患者の皮膚細胞と該ポリペプチドとを接触させるに十分な器具、
を含む、診断用キット。
【請求項１９】
（ａ）配列番号２１５〜２２５、２３７、２３９、２６１〜２７６、２９２、２９３、３０３〜３０８、３１０〜３１５、３１７、３２１、３２３、３２５〜３２７、３３０〜３３２、３３４、３３６、３３８、３４０および３４２〜３４７、該配列の相補体、ならびに配列番号２１５〜２２５、２３７、２３９、２６１〜２７６、２９２、２９３、３０３〜３０８、３１０〜３１５、３１７、３２１、３２３、３２５〜３２７、３３０〜３３２、３３４、３３６、３３８、３４０および３４２〜３４７に示される配列にハイブリダイズするＤＮＡ配列からなる群から選択されるＤＮＡ配列によってコードされる、ポリペプチド；ならびに
（ｂ）患者の皮膚細胞と該ポリペプチドとを接触させるに十分な器具、
を含む、診断用キット。
【請求項２０】
（ａ）請求項９〜１１のいずれか１項に記載の融合タンパク質；および
（ｂ）患者の皮膚細胞と該融合タンパク質とを接触させるに十分な器具、
を含む、診断用キット。
【請求項２１】
配列番号３５１および３５５に示される配列からなる群から選択されるアミノ酸配列を含む、請求項１１に記載の融合タンパク質。
【請求項２２】
請求項６および１２のいずれか１項に記載の薬学的組成物を含む、患者における防禦免疫を誘導するための薬学的組成物。
【請求項２３】
請求項７、８、１３および１４のいずれか１項に記載のワクチンを含む、患者における防禦免疫を誘導するためのワクチン。
【手続補正書】
【提出日】平成17年11月28日(2005.11.28)
【手続補正１】
【補正対象書類名】明細書
【補正対象項目名】特許請求の範囲
【補正方法】変更
【補正の内容】
【特許請求の範囲】
【請求項１】  下記組成：
ａ−製剤の全重量を基準として０．０００１〜７．５重量％の濃度の、昆虫のニコチン性
アセチルコリン受容体の作用物質又は拮抗物質；
ｂ−製剤の全重量を基準として２０〜５０重量％の濃度の水；
ｃ−製剤の全重量を基準として２０〜５０重量％の濃度の非環式アルコール類；
ｄ−製剤の全重量を基準として２．５から２０．０重量％までの濃度の環式炭酸エステル
類；
ｅ−場合によっては、製剤の全重量を基準として０から３０重量％までの濃度の、増粘剤
、展着剤、着色剤、酸化防止剤、推進剤、防腐剤、粘着付与剤、乳化剤から成る群か
らのさらなる助剤類
から成る、ニコチン性アセチルコリン受容体の作用物質又は拮抗物質により人間に対する寄生昆虫並びにダニ類を防除するための、皮膚に施用する水含有製剤。
【請求項２】  １つの活性化合物又は複数の活性化合物を水及び溶媒と混合して均一な溶液を生じさせ、そして適切であれば他の助剤を加えることを特徴とする、請求項１に記載の組成物を製造する方法。
【手続補正書】
【提出日】平成18年4月18日(2006.4.18)
【手続補正１】
【補正対象書類名】特許請求の範囲
【補正対象項目名】全文
【補正方法】変更
【補正の内容】
【特許請求の範囲】
【請求項１】
患者に外科用クリップを適用するためのクリップアプライヤであって、
近位端及び遠位端を有する細長い管と、前記細長い管の遠位端から外向きに延びる一対の対向するジョー部材と、ラチェット機構とを含む使い捨てカートリッジと、
前記細長い管の近位端に連結されて開放位置と閉鎖位置との間で前記ジョー部材を移動させる再使用可能な作動機構と、
を含むことを特徴とするクリップアプライヤ。
【請求項２】
前記ラチェット機構が、該クリップアプライヤの全作動ストロークを行わせる一方向ラチェットであることを特徴とする、請求項１に記載のクリップアプライヤ。
【請求項３】
前記ラチェット機構が、射出成形プラスチックで形成されていることを特徴とする、請求項１に記載のクリップアプライヤ。
【請求項４】
前記作動機構が、
前記細長い管の近位端に結合された本体と、
前記本体に対するその動きが開放位置と閉鎖位置との間で前記ジョー部材を互いに対して強制的に移動させるように、該本体に連結されたハンドルと、
を含むことを特徴とする、請求項１に記載のクリップアプライヤ。
【請求項５】
前記カートリッジが、更に、前記クリップを前記ジョー部材内に前進させるためのプッシュ部材を含むことを特徴とする、請求項１に記載のクリップアプライヤ。
【請求項６】
前記カートリッジが、更に、前記プッシュ部材を前記クリップに当接した状態に維持するためのバイアスばねを含むことを特徴とする、請求項５に記載のクリップアプライヤ。
【請求項７】
前記カートリッジが、更に、前記細長い管の内面上に形成された噛合い歯と係合するための摺動ラチェット爪に作動結合された駆動カップリングを含むことを特徴とする、請求項６に記載のクリップアプライヤ。
【請求項８】
前記ラチェット爪が、前記噛合い歯と係合する片持ちアームを含むことを特徴とする、請求項７に記載のクリップアプライヤ。
【請求項９】
前記駆動カップリングが、前記噛合い歯の或る程度のピボット動及び向上した噛合いを可能にする、前記ラチェット爪の中心結合をもたらすことを特徴とする、請求項７に記載のクリップアプライヤ。
【請求項１０】
患者に外科用クリップを適用するためのクリップアプライヤであって、
近位部分及び遠位部分を有するハウジング部材と、前記ハウジング部材の遠位部分から外向きに延びる一対の対向するジョー部材と、ラチェット機構とを含む使い捨てカートリッジと、
前記カートリッジに連結されて開放位置と閉鎖位置との間で前記ジョー部材を移動させる再使用可能な作動機構と、
を含むことを特徴とするクリップアプライヤ。
【請求項１１】
前記ラチェット機構が、該クリップアプライヤの全作動ストロークを行わせる一方向ラチェットであることを特徴とする、請求項１０に記載のクリップアプライヤ。
【請求項１２】
前記ラチェット機構が、射出成形プラスチックで形成されていることを特徴とする、請求項１０に記載のクリップアプライヤ。
【請求項１３】
前記作動機構が、
前記ジョー部材に結合された複数の先端と、
前記先端に対するその動きが開放位置と閉鎖位置との間で前記ジョー部材を互いに対して強制的に移動させるように、該先端に連結されたハンドルと、
を含むことを特徴とする、請求項１０に記載のクリップアプライヤ。
【請求項１４】
前記カートリッジが、更に、前記クリップを前記ジョー部材内に前進させるためのジョーローダを含むことを特徴とする、請求項１０に記載のクリップアプライヤ。
【請求項１５】
前記カートリッジが、更に、前記ジョーローダを前記クリップに当接した状態に維持するためのバイアスばねを含むことを特徴とする、請求項１４に記載のクリップアプライヤ。
【請求項１６】
前記カートリッジが、更に、前記ハウジング部材の内面上に形成された噛合い歯と係合するための、前記ハウジング部材と前記ジョーローダとに作動結合された駆動ブッシングを含むことを特徴とする、請求項１５に記載のクリップアプライヤ。
【請求項１７】
前記駆動ブッシングが、前記噛合い歯と係合する片持ちアームを含むことを特徴とする、請求項１６に記載のクリップアプライヤ。
【請求項１８】
前記駆動ブッシングが、前記噛合い歯の或る程度のピボット動及び向上した噛合いを可能にする、前記ジョーローダの中心結合をもたらすことを特徴とする、請求項１６に記載のクリップアプライヤ。
【手続補正書】
【提出日】平成18年7月24日(2006.7.24)
【手続補正１】
【補正対象書類名】特許請求の範囲
【補正対象項目名】全文
【補正方法】変更
【補正の内容】
【特許請求の範囲】
【請求項１】
医療装置用滑剤であって、
（１）電磁線硬化性シリコーンコポリマー、
（２）第二のシリコーン成分、及び
（３）光開始剤、
を含むことを特徴とする医療装置用滑剤。
【請求項２】
ビニルエーテルをさらに含む請求項１に記載の滑剤。
【請求項３】
前記ビニルエーテルが、2-エチル-1-ヘキサノールのモノビニルエーテル、n-ドデカノールのモノビニルエーテル、1,4-シクロヘキサンジメタノールのジビニルエーテル及び水素停止ポリ(テトラヒドロフラン)のジビニルエーテルからなる群から選択される請求項２に記載の滑剤。
【請求項４】
前記電磁線硬化性シリコーンコポリマーが、エポキシ変性ポリジメチルシロキサンである請求項１に記載の滑剤。
【請求項５】
前記光開始剤が、ジアリールヨードニウム、テトラキス（ペンタフルオロフェニル）ホウ酸塩、ビス（ドデシルフェニル）ヨードニウムヘキサフルオロアンチモネート、ビス（ドデシルフェニル）ヨードニウムヘキサフルオロアルセナート及び（4-オクチロキシフェニル）(フェニル)ヨードニウムヘキサフルオロアンチモネートからなる群から選択される請求項１に記載の滑剤。
【請求項６】
前記第二のシリコーン成分が、ポリジメチルシロキサン、メチルトリメトキシシラン、メチルトリアセトキシシラン、塩化シリコーン、ビニルトリメトキシルシラン、ビス（トリメトキシシリル）プロピルアミン、γ-ウレイドプロピルトリメトキシシラン及びオルガノシランエステルトリ（3-(トリメトキシシリル)プロピル）イソシアヌレートからなる群から選択される請求項１に記載の滑剤。
【請求項７】
前記電磁線硬化性シリコーンコポリマーが、紫外線、電子ビーム電磁線及びγ線の少なくとも１つによって硬化される請求項１に記載の滑剤。
【請求項８】
皮下突針を潤滑する方法であって、
（１）電磁線硬化性シリコーンコポリマー、第二のシリコーン成分、光開始剤及びビニルエーテルを含む塗料混合物を皮下突針の侵入表面に適用する工程、及び
（２）電磁線への暴露によって前記塗料を硬化させる工程、
を含むことを特徴とする方法。
【請求項９】
前記電磁線が、紫外線、電子ビーム電磁線及びγ線からなる群から選択される請求項８に記載の方法。
【請求項１０】
前記塗料が、i)浸漬、ii)噴霧、iii)パジング、及びiv)流れカスケードの通過の少なくとも１つによって前記皮下突針に適用される請求項８に記載の方法。
【請求項１１】
前記ビニルエーテルが、2-エチル-1-ヘキサノールのモノビニルエーテル、n-ドデカノールのモノビニルエーテル、1,4-シクロヘキサンジメタノールのジビニルエーテル及び水素停止ポリ(テトラヒドロフラン)のジビニルエーテルからなる群から選択される請求項８に記載の方法。
【請求項１２】
前記電磁線硬化性シリコーンコポリマーが、エポキシシリコーンコポリマーである請求項８に記載の方法。
【請求項１３】
前記光開始剤が、ジアリールヨードニウム、テトラキス（ペンタフルオロフェニル）ホウ酸塩、ビス（ドデシルフェニル）ヨードニウムヘキサフルオロアンチモネート、ビス（ドデシルフェニル）ヨードニウムヘキサフルオロアルセナート及び（4-オクチロキシフェニル）(フェニル)ヨードニウムヘキサフルオロアンチモネートからなる群から選択される請求項８に記載の方法。
【請求項１４】
前記第二のシリコーン成分が、ポリジメチルシロキサン、メチルトリメトキシシラン、メチルトリアセトキシシラン、塩化シリコーン、ビニルトリメトキシルシラン、ビス（トリメトキシシリル）プロピルアミン、γ-ウレイドプロピルトリメトキシシラン及びオルガノシランエステルトリ（3-(トリメトキシシリル)プロピル）イソシアヌレートからなる群から選択される請求項８に記載の方法。
【請求項１５】
前記塗料を暴露する前に、密封ケースに前記皮下突針を包装する工程をさらに含む請求項８に記載の方法。
【請求項１６】
皮下突針を潤滑する方法であって、
（１）電磁線硬化性シリコーンコポリマー、第二のシリコーン成分、光開始剤及びビニルエーテルを含む第一塗料混合物を皮下突針の侵入表面に適用する工程、
（２）電磁線への暴露によって前記第一塗料を硬化させる工程、及び
（３）キャリヤー溶媒に分散される第二のシリコーン成分を含む第二塗料混合物を適用する工程、
を含むことを特徴とする方法。
【請求項１７】
前記第一塗料の前記ビニルエーテルが、2-エチル-1-ヘキサノール、n-ドデカノールのモノビニルエーテル、1,4-シクロヘキサンジメタノールのジビニルエーテル及び水素停止ポリ(テトラヒドロフラン)のジビニルエーテルからなる群から選択される請求項16に記載の方法。
【請求項１８】
前記第一塗料の前記電磁線硬化性シリコーンコポリマーが、エポキシシリコーンコポリマーである請求項１６に記載の方法。
【請求項１９】
前記第一塗料の前記光開始剤が、ジアリールヨードニウム、テトラキス（ペンタフルオロフェニル）ホウ酸塩、ビス（ドデシルフェニル）ヨードニウムヘキサフルオロアンチモネート、ビス（ドデシルフェニル）ヨードニウムヘキサフルオロアルセナート及び（4-オクチロキシフェニル）(フェニル)ヨードニウムヘキサフルオロアンチモネートからなる群から選択される請求項１６に記載の方法。
【請求項２０】
前記第一塗料の前記第二のシリコーン成分が、ポリジメチルシロキサン、メチルトリメトキシシラン、メチルトリアセトキシシラン、塩化シリコーン、ビニルトリメトキシルシラン、ビス（トリメトキシシリル）プロピルアミン、γ-ウレイドプロピルトリメトキシシラン及びオルガノシランエステルトリ（3-(トリメトキシシリル)プロピル）イソシアヌレートからなる群から選択される請求項１６に記載の方法。
【請求項２１】
前記第二塗料の前記第二のシリコーン成分が、ポリジメチルシロキサン、メチルトリメトキシシラン、メチルトリアセトキシシラン、塩化シリコーン、ビニルトリメトキシルシラン、ビス（トリメトキシシリル）プロピルアミン、γ-ウレイドプロピルトリメトキシシラン及びオルガノシランエステルトリ（3-(トリメトキシシリル)プロピル）イソシアヌレートからなる群から選択される請求項１６に記載の方法。
【請求項２２】
前記第二塗料の前記第二のシリコーン成分が、ポリジメチルシロキサン、メチルトリメトキシシラン、メチルトリアセトキシシラン、塩化シリコーン、ビニルトリメトキシルシラン、ビス（トリメトキシシリル）プロピルアミン、γ-ウレイドプロピルトリメトキシシラン及びオルガノシランエステルトリ（3-(トリメトキシシリル)プロピル）イソシアヌレートからなる群から選択される少なくとも２種のシリコーン成分の混合物である請求項１６に記載の方法。
【手続補正書】
【提出日】平成18年7月21日(2006.7.21)
【手続補正１】
【補正対象書類名】特許請求の範囲
【補正対象項目名】全文
【補正方法】変更
【補正の内容】
【特許請求の範囲】
【請求項１】
骨どうしを固定するための骨プレートであって、
（Ａ）手または足の少なくとも２つの骨内に形成された凹所の中に受領され得るよう構成されたボディであるとともに、凸状の骨対向表面を有しているような、ボディと；
（Ｂ）前記ボディに配置された少なくとも２つの開口であるとともに、前記ボディを前記少なくとも２つの骨の各々に対して取り付ける骨固定手段を受領し得るよう構成された、少なくとも２つの開口と；
（Ｃ）前記ボディに対して取り付けられた支柱であるとともに、前記骨対向表面から延出している支柱と；
を具備していることを特徴とする骨プレート。
【請求項２】
請求項１記載の骨プレートにおいて、
前記骨対向表面が、少なくとも実質的に球形状の一部に対応していることを特徴とする骨プレート。
【請求項３】
請求項１記載の骨プレートにおいて、
前記骨対向表面が、少なくとも実質的に円錐形状の一部に対応していることを特徴とする骨プレート。
【請求項４】
請求項１記載の骨プレートにおいて、
前記ボディと前記支柱とが、それぞれ中心軸を有し、
それら中心軸どうしが、少なくとも実質的に位置合わせされていることを特徴とする骨プレート。
【請求項５】
請求項１〜４のいずれか１項に記載の骨プレートにおいて、
前記支柱が、前記ボディに対して一体部材として形成されていることを特徴とする骨プレート。
【請求項６】
請求項１〜４のいずれか１項に記載の骨プレートにおいて、
前記ボディが、中心領域を形成し、
この中心領域が、開口を形成し、
前記支柱が、前記開口のところにおいて前記ボディに対して着脱可能に取り付けられ得るよう構成され、
前記支柱と前記ボディとが、螺着可能なものとして構成されていることを特徴とする骨プレート。
【請求項７】
請求項１〜４のいずれか１項に記載の骨プレートにおいて、
前記少なくとも２つの骨に、前記凹所から１つまたは複数の骨内へと延出された穴が形成されている場合に、
前記支柱が、前記穴内に受領され得るよう構成され、これにより、前記ボディの位置ズレを規制し得るものとされていることを特徴とする骨プレート。
【請求項８】
請求項１〜４のいずれか１項に記載の骨プレートにおいて、
前記開口の少なくとも１つが、スロットとされ、
このスロットが、このスロットの長手方向軸に沿った複数のサイトに骨ネジを配置し得るものとされていることを特徴とする骨プレート。
【請求項９】
請求項１〜４のいずれか１項に記載の骨プレートにおいて、
さらに、前記骨プレートに対して連結可能に構成されたキャップを具備し、
このキャップが、前記少なくとも１つの骨固定手段を使用して前記ボディを前記１つまたは複数の骨に対して取り付け終わった後に、前記少なくとも１つの骨固定手段の抜け出し移動を妨害し得るように構成されていることを特徴とする骨プレート。
【請求項１０】
請求項１〜４のいずれか１項に記載の骨プレートにおいて、
前記ボディが、さらに、周縁部と、前記骨対向表面とは反対側に位置したような、骨とは反対側を向く表面と、を備え、
前記周縁部の厚さが、前記骨対向表面と前記骨とは反対側を向く表面との間において測定したような前記ボディの平均厚さよりも、厚いものとされていることを特徴とする骨プレート。
【請求項１１】
請求項１〜４のいずれか１項に記載の骨プレートにおいて、
前記骨固定手段が、骨ネジとされ、
前記ボディが、さらに、ワイヤを受領するための少なくとも１つの開口を備え、
前記ワイヤを受領するための前記少なくとも１つの開口の直径が、骨ネジを受領するための各開口の直径よりも、実質的に小さいものとされていることを特徴とする骨プレート。
【請求項１２】
請求項１〜４のいずれか１項に記載の骨プレートにおいて、
前記骨対向表面の少なくとも一部が、粗い肌めを有していることを特徴とする骨プレート。
【請求項１３】
請求項１〜４のいずれか１項に記載の骨プレートにおいて、
前記ボディが、少なくとも２つの手根骨内に形成された凹所内に受領され得るよう構成されていることを特徴とする骨プレート。